(57)【要約】【課題】閉じたままの状態で着信，通話を行うことができると共に、話者の声が拾いやすく、明瞭に通話できる折り畳み型携帯電話機を得る。【解決手段】筐体を折り畳むことができる折り畳み型携帯電話機において、折り畳んだ状態の筐体の外壁部に、筐体外部に向かって音声を放音できるように設けられた放音口２と、折り畳んだ状態の筐体の外壁部の放音口２が開口している側に開口し、話者の声を集音する集音口１と、折り畳んだ状態の筐体の外壁表面に設けられ、着信状態と通話状態とを切り替えるフックスイッチ３とを備えたものである。【選択図】        図１
2004186857.tif 000002
【特許請求の範囲】
【請求項１】
筐体を折り畳むことができる折り畳み型携帯電話機において、  折り畳んだ状態の筐体の外壁部に、筐体外部に向かって音声を放音できるように設けられた放音口と、
折り畳んだ状態の筐体の外壁部の上記放音口が開口している側に開口し、話者の声を集音する集音口と、
折り畳んだ状態の筐体の外壁表面に設けられ、着信状態と通話状態とを切り替えるフックスイッチとを備えたことを特徴とする折り畳み型携帯電話機。
【請求項２】
上記放音口から、着信時は呼出し音を放音し、通話時は筐体が閉じていることを確認して通話音声を放音するように制御する制御回路を設けたことを特徴とする請求項１記載の折り畳み型携帯電話機。
【請求項３】
上記放音口は、折り畳んだ状態の筐体の内側に設けられた内側放音口と別に設けられていることを特徴とする請求項１記載の折り畳み型携帯電話機。
【請求項４】
上記放音口及び集音口は、キー操作部と反対面に設置されていることを特徴とする請求項１記載の折り畳み型携帯電話機。
【発明の詳細な説明】
【０００１】
【発明の属する技術分野】
この発明は、折り畳み型筐体構造を有する携帯電話機に関し、特に筐体を折り畳んだ状態で通話をすることができると共に話者の声を拾いやすい折り畳み型携帯電話機に関するものである。
【０００２】
【従来の技術】
従来の折り畳み型携帯電話機においては、折り畳んだ状態の筐体表面に差し込み口が配置されるようにイヤホンマイク用ジャックが設けられており、筐体を閉じた状態でもイヤホンマイクを用いて通話できるように構成されている。（例えば特許文献１参照）
従来の他の折り畳み型携帯電話機においては、第１筐体，第２筐体に背面音声導通孔及び表面音声導通孔を設けてスピーカの音声を聞くことができるようにし、送話用マイクを第２筐体に取りつけ、かつ、受発信ボタン及び受発終ボタンを第２筐体の側面に露出して配置し折り畳み状態で送受信ができるように構成されている。（例えば特許文献２参照）
【０００３】
【特許文献１】
特開２００１−１３６２５１号公報（第３頁左欄第３２行−第４頁左欄第１７行、第１図−第５図）
【特許文献２】
実用新案登録第３０８２０９６号公報（第４頁−第５頁〔課題を解決するための手段〕、第１図，第３図及び第４図）
【０００４】
【発明が解決しようとする課題】
従来の折り畳み型携帯電話機は、送話器と受話器が折り畳んだ内側のみに設置されているため、通話する時にいちいち本体筐体を開く必要があり、とっさの着信時の応答が、ストレート型やフリップ型の携帯電話機と比べて面倒であるという問題があった。
また、特許文献１に示された構成では、閉じた状態でも通話は可能であるが、イヤホンマイクを使用する必要があり、いちいち持ち歩かなければならないという面倒さと、常にイヤホンジャックに差し込んでおかなければ着信時にとっさに通話できないという欠点があった。
特許文献２に示された構成では、耳を受話口に当てた時、話者の口に対してマイクの送話口が直角方向にあるため、話者の声を拾いにくく、相手に聞こえにくくなるという欠点があった。また、レシーバと表面音声導通孔、背面音声導通孔は折り畳み時に一直線上に並べて配置しなければならず、デザインや筐体内部の部品配置や小型化に制約をもたらすといった問題もあった。
【０００５】
この発明は上記のような問題点を解決するためになされたもので、筐体を折り畳むことができる折り畳み型携帯電話機において、折り畳んだ状態の筐体の外壁部に、筐体外部に向かって音声を放音できるように設けられた放音口と、折り畳んだ状態の筐体の外壁部の放音口が開口している側に開口し、話者の声を集音する集音口と、折り畳んだ状態の筐体の外壁表面に設けられ、着信状態と通話状態とを切り替えるフックスイッチとを備えることにより、二つ折り型携帯電話機にもかかわらず、閉じたままの状態で着信，通話を行うことができると共に、話者の声が拾いやすく、明瞭に通話できる折り畳み型携帯電話機を得ることを目的とする。
【０００６】
【課題を解決するための手段】
この発明に係る折り畳み型携帯電話機においては、筐体を折り畳むことができる折り畳み型携帯電話機において、折り畳んだ状態の筐体の外壁部に、筐体外部に向かって音声を放音できるように設けられた放音口と、折り畳んだ状態の筐体の外壁部の放音口が開口している側に開口し、話者の声を集音する集音口と、折り畳んだ状態の筐体の外壁表面に設けられ、着信状態と通話状態とを切り替えるフックスイッチとを備えたものである。
【０００７】
【発明の実施の形態】
実施の形態１．
図１はこの発明の実施の形態１による折り畳み型携帯電話機の斜視図で、筐体を折り畳んだ状態を示している。マイクの集音口１は、第１の筐体である下側筐体４に設けられている。折り畳んだ状態の筐体の外壁部に、筐体外部に向かって音声を放音できるように、開けられた放音口２は、第２の筐体である上側筐体５の外壁部に設けられている。着信応答用に使用するフックスイッチ３は、下側筐体４の外壁表面に設けられている。下側筐体４と上側筐体５とは、折り畳み回転部であるヒンジ６により折り畳み可能に組み立てられている。アンテナ７は、上側筐体５に固定されている。なお、下側筐体４は、閉じた内側にテンキー等のキー操作部を有する。また、上側筐体５は、ＬＣＤ表示器や開いた状態で通話する際の放音口を内側に有する。
【０００８】
図２はこの発明の実施の形態１による回路ブロック図であり、呼出音鳴動用兼折り畳み時受話用のスピーカ２ａ、上側筐体５内側レシーバ８ａ、マイク１１、無線送受信部１２、タイミング制御部１３、中央制御部１４、呼出音，アラーム音，メロディーのデータを記憶している音源１５、マイクアンプ１６、スピーカアンプ１７、音声信号経路の切替えスイッチ１８，１９，２０，２１，２６、開閉検出器２３、テンキー等のキー操作部２４、及び上側筐体内側のレシーバ用のアンプ２７が図示のように接続されている。
【０００９】
図３はこの発明の実施の形態１におけるマイク部及び集音口を説明する説明図である。図３（ａ）は、マイク１１から集音口１を斜めに開口し、閉じた状態でも話者の話し声を集音できるようにしている。図３（ｂ）は、マイクを収めた下側筐体４を上側筐体５より長くして、閉じた状態でも集音口１が表面に現れているようにしたものである。なお、図３（ｂ）では集音口１は、放音口２のさん孔方向（矢印Ａで示す）と同一方向にさん孔されている。図３（ａ）の場合は、斜め（矢印Ｂ方向）にさん孔されている。
また、図３（ａ），（ｂ）いずれの場合も、集音口１は、放音口２が開口している側に開口している。いいかえると、放音口２が開口している側から見たとき、集音口１を同時に見ることができる。従って、図３（ａ），（ｂ）いずれの場合も、話者の声を拾いやすくなっている。
【００１０】
次に、図１，図２を用いて動作を説明する。図２は、ディジタル携帯電話での例である。通常に筐体を開いて通話を行う場合は、使用者の話し声を集音口１からマイク１１で集音し、マイクアンプ１６で電気信号を増幅した後、タイミング制御部１３内にあるＡ／Ｄコンバーターでディジタル信号化して無線送受信部１２へ送り、無線信号へ変調されて、アンテナ７から基地局へ送信する。
逆に基地局から受信した無線信号は、アンテナ７から無線送受信部１２へ送られ復調されて、タイミング制御部１３内のＤ／Ａコンバータでアナログ信号とされた後、レシーバアンプ１７で増幅され、スイッチ１８介してて音声としてレシーバ８ａから使用者の耳へ届く。
【００１１】
これに対して、筐体を閉じた状態で着信した場合、本実施の形態１に特徴的な動作について以下に説明する。
着信時、呼出音又はメロディーは音源１５よりスイッチ２０を介してアンプ１７で増幅され、スイッチ１９を介してスピーカ２ａより放音口２を通して放音される。使用者は、スイッチ３を押すことで、着信応答を行うが、この時中央制御部１４は、スイッチ３検出と合わせて、開閉検出器２３の状態を確認し、閉状態であることが判明した場合は、次のように動作する。
基地局の受信信号は、タイミング制御部１３からスイッチ２１を介してアンプ１７で増幅された後、スイッチ１９を介してスピーカ２ａより放音口２を通して放音される。アンプ１７の増幅率は、受話に適する値を予め記憶しておき、呼出音鳴動時とは異なる値に、中央制御部１４が切換えを行い、耳へ音響衝撃が加わらないようにする。
【００１２】
実施の形態２．
図４はこの発明の実施の形態２による折り畳み型携帯電話機の斜視図で、（ａ）は閉じた時の外側、（ｂ）は開いた時の内側を示す。図５はこの発明の実施の形態２による回路ブロック図である。なお、図１〜図３と同一符号を付した部分は同一部分を示す。
次に、実施の形態２について、図４及び５を用いて説明する。
図４（ａ）において、呼出音又はメロディを放音するスピーカとは別に、閉じた状態で通話を行うための第２のレシーバ９ａ及び放音口９を設けている。通常に開いて通話するとき使用するレシーバ８ａ及び放音口８は、図４（ｂ）に示すように上側筐体５の内側に別途設けてある。
【００１３】
この実施の形態２について、図５を用いて動作を説明する。図５で、実施の形態２に係わる追加部分は、スイッチ２２と第２のレシーバ９ａである。なお、呼出音又はメロディを放音するスピーカ２ａとは別に、閉じた状態で通話を行うための第２のレシーバ９ａを設けているから、スイッチ２１は不要である。
閉じた状態で着信した時、スイッチ３押下によって、通話状態になると、音源１５とスイッチ２０をＯＦＦとし、呼出音を停止させた後、スイッチ２２をＯＮとする。通話相手の受話音声はレシーバ９ａから放音口９を通して放音することで、閉じたまま通話することが可能となる。
通話中に筐体を開いた場合は、開閉検出器２３から開いたことを中央制御部１４が検知し、スイッチを切換え、実施の形態１の通常に開いて通話する場合と同様に動作する。
なお、マイク部及び集音口の構造は実施の形態１（図３）と同じであり、話者の声を拾いやすくなっている。
【００１４】
実施の形態３．
図６はこの発明の実施の形態３による折り畳み型携帯電話機の斜視図で、（ａ）は開いた時の外側、（ｂ）は開いた時の内側を示す。図７はこの発明の実施の形態３におけるマイク部及び集音口を説明する説明図である。なお、図１〜図５と同一符号を付した部分は同一部分を示す。
実施の形態３を図６，図７について説明する。
図６（ａ）は、閉じた状態で通話する時のマイク集音口１０とレシーバ９ａの放音口９を、下側筐体４の裏面に設けた構成を示す。通常に通話する時は図６（ｂ）に示すとおり、筐体を開いた内側にあるマイク集音口１と、レシーバ８ａの放音口８を使用する。この時マイク１１は表裏別々に２つ設置してもよいが、信号レベルが小さく、アンプ１６の入力側にスイッチを設けることはスイッチのＯＮ抵抗があることから困難である。このため、図７（ａ），（ｂ）に示すように構成することで、開閉どちらの通話状態にも対応できるようにする。
【００１５】
図７（ａ）は、マイクの正面，背面どちらからの音も集音できる差動型のマイクロフォンを用い、集音口を下側筐体４の表裏双方に開け、開閉どちらの状態でも集音することができる構造としたものである。なお、この場合も集音口１０と放音口９とのさん孔方向（矢印Ａ方向）は同一である。
図７（ｂ）は、無指向性マイクを用い、集音口をマイク１１の正面から下面筐体４の表裏へそれぞれ曲げて開口することで、開閉どちらの場合での集音も可能としている。
マイクの集音口を以上のように構成することで、閉じたままでも、普通に開いた状態のどちらでも通話を行うことができると共に、閉じた場合は集音口１０は放音口９が開口している側に開口している。いいかえると、放音口９が開口している側から見たとき、集音口を同時に見ることができる。従って、話者の声を拾いやすくなっている。なお、閉状態で着信した場合の動作，作用は、実施の形態２と同様である。
なお、回路ブロック図は実施の形態２と同一である。
【００１６】
実施の形態４．
図８はこの発明の実施の形態３による折り畳み型携帯電話機の斜視図で、（ａ）は開いた時の外側、（ｂ）は開いた時の内側を示す。図９はこの発明の実施の形態４による回路ブロック図である。なお、図１〜図７と同一符号を付した部分は同一部分を示す。
実施の形態４を図８，図９について説明する。
図８（ａ）は、上側筐体５，下側筐体４の外側を示している。図６（ａ）と同じ構成であるが、内側にマイクの集音口、及びレシーバの放音口は設置してない。即ち、通話は筐体の開閉にかかわらず、外側のマイク集音口１０レシーバ９ａの放音口９を用いて行い、内側は発呼やメールなどのキー操作と、表示確認の時のみに用いることとなる。
図９に示す回路ブロック図において、図２におけるスイッチ１８，レシーバ８ａの部分が省略になる。また、閉じていても開いていても、通話（受話）は、常にレシーバ９ａで行うことになるので、開閉検知する必要もなくなる。スピーカ２ａは通話には使わず（使おうとしてもマイクが遠くなりすぎ実用的でない）呼出音又はメロディ専用となるので切換える必要もなくなる。従って、スイッチ２１の部分も不要である。
【００１７】
次に、閉じた状態で着信したとき、スイッチ３押下によって通話状態になると、音源１５とスイッチ２０をＯＦＦとし、呼出音を停止させた後、スイッチ２２をＯＮする。通話相手の受話音声はレシーバ９ａから放音口９を通して放音する。開いた状態で着信した時はスイッチ３又はテンキー２４の当該キーを押下することで通話状態となり、以後は閉じた場合と同様に動作する。
なお、集音口１０の構造は図３と同様である。但し、図３では集音口１が、上側筐体５側に開口しているが、実施の形態４では逆になり、下側筐体４の外側に向かって開口したものになる。なお集音口１０は放音口９が開口している側に開口しており、放音口９が開口している側から見たとき、集音口１０を同時に見ることができる。従って、話者の声を拾いやすくした点は変わらない。
この実施の形態４では、キーやＬＣＤ表示面が顔に触れないので、通話中に誤ってキーを押してしまったり、吐息や汗で表示面が汚れたりしないという利点がある。
【００１８】
なお、上記実施の形態１〜４によれば、レシーバと表面音声導通孔、背面音声導通孔を折り畳み時に一直線上に並べて配置する（特許文献２参照）必要がなく、デザインや筐体内部の部品配置や小型化に制約をもたらすことはない。
【００１９】
【発明の効果】
この発明は以上説明したとおり、筐体を折り畳むことができる折り畳み型携帯電話機において、折り畳んだ状態の筐体の外壁部に、筐体外部に向かって音声を放音できるように設けられた放音口と、折り畳んだ状態の筐体の外壁部の、放音口が開口している側に開口し、話者の声を集音する集音口と、折り畳んだ状態の筐体の外壁表面に設けられ、着信状態と通話状態とを切り替えるフックスイッチとを備えたものであるから、閉じたままの状態で着信，通話を行うことができると共に、話者の声が拾いやすく、明瞭に通話できるという効果を有する。
【図面の簡単な説明】
【図１】この発明の実施の形態１による折り畳み型携帯電話機の斜視図である。
【図２】この発明の実施の形態１による回路ブロック図である。
【図３】この発明の実施の形態１におけるマイク部及び集音口を説明する説明図である。
【図４】この発明の実施の形態２による折り畳み型携帯電話機の斜視図である。
【図５】この発明の実施の形態２による回路ブロック図である。
【図６】この発明の実施の形態３による折り畳み型携帯電話機の斜視図である。
【図７】この発明の実施の形態３におけるマイク部及び集音口を説明する説明図である。
【図８】この発明の実施の形態３による折り畳み型携帯電話機の斜視図である。
【図９】この発明の実施の形態４による回路ブロック図である。
【符号の説明】
１  集音口、２  放音口、３  フックスイッチ、４  第１の（下側）筐体、
５  第２の（上側）筐体、６  ヒンジ、７  アンテナ。
【図１】
2004186857.tif 000003
【図２】
2004186857.tif 000004
【図３】
2004186857.tif 000005
【図４】
2004186857.tif 000006
【図５】
2004186857.tif 000007
【図６】
2004186857.tif 000008
【図７】
2004186857.tif 000009
【図８】
2004186857.tif 000010
【図９】
2004186857.tif 000011